(57)【要約】【課題】屋根表面材への負担を軽減させると共に、耐荷重性を高めることが可能な屋根上設置物の取付構造及び取付装置を提供する。【解決手段】野地板１１に葺かれた屋根表面材１２の上方に、取付装置１によって取付けられている屋根上設置物としての桟部材１３の取付構造であって、取付装置１に、屋根表面材１２の上面に載置されている平板状の第一基部２ａ、第一基部２ａを貫通している複数の取付孔２ｂ、及び、第一基部２ａから上方へ延出している平板状の第一連結部２ｃ、を有している第一部材２と、複数の取付孔２ｂ、及び、屋根表面材１２を通して野地板１１にねじ込まれており、頭部３ａの下面が第一基部２ａの上面に夫々当接している複数の取付ネジ３と、全ての取付ネジ３の頭部３ａの上面に当接しており、第一連結部２ｃに取付けられていると共に、桟部材１３が取付けられている第二部材４と、を具備させる。【選択図】図４
2018155054.tif 000002
【特許請求の範囲】
【請求項１】
屋根構造材に葺かれた屋根表面材の上方に、取付装置によって取付けられている屋根上設置物の取付構造であって、
前記取付装置は、
前記屋根表面材の上面に載置されている平板状の第一基部、該第一基部を貫通している複数の取付孔、及び、前記第一基部から上方へ延出している平板状の第一連結部、を有している第一部材と、
複数の前記取付孔、及び、前記屋根表面材を通して前記屋根構造材にねじ込まれており、頭部の下面が前記第一基部の上面に夫々当接している複数の取付ネジと、
全ての該取付ネジの頭部の上面に当接しており、前記第一連結部に取付けられていると共に、前記屋根上設置物が取付けられている第二部材と
を具備することを特徴とする屋根上設置物の取付構造。
【請求項２】
前記第一部材の前記第一連結部は、
複数の前記取付孔を間にして平行に一対、有しており、
前記第二部材は、
一対の前記第一連結部の間に挿入されている
ことを特徴とする請求項１に記載の屋根上設置物の取付構造。
【請求項３】
請求項１又は請求項２に記載の屋根上設置物の取付構造に使用される取付装置であって、
平板状の第一基部、該第一基部を貫通している複数の取付孔、及び、前記第一基部から上方へ延出している平板状の第一連結部、を有している第一部材と、
複数の前記取付孔を通して頭部の下面が前記第一基部の上面に夫々当接している複数の取付ネジと、
全ての該取付ネジの頭部の上面に当接しており、前記第一連結部に取付けられていると共に、屋根上設置物が取付けられる第二部材と
を具備することを特徴とする屋根上設置物の取付装置。
【発明の詳細な説明】
【技術分野】
【０００１】
本発明は、屋根上設置物の取付構造及び取付装置に関するものである。
【背景技術】
【０００２】
屋根は、垂木や野地板等の屋根構造材に、瓦、スレート、板金屋根、アスファルトシングル、等の屋根表面材が葺かれることにより構成されている。この屋根上に、太陽電池モジュール、太陽熱温水器、緑化パネル、空調室外機、等の屋根上設置物を取付ける取付構造としては、屋根表面材に載置された支持金具に対して、取付ネジを上方から支持金具及び屋根表面材を通して屋根構造材にねじ込むことにより、支持金具を屋根表面材上に取付け、その支持金具に屋根上設置物を取付けている（特許文献１）。
【０００３】
しかしながら、特許文献１の技術では、屋根上設置物からの下方への荷重が、支持金具を介して屋根表面材に作用するため、支持金具が取付けられている部位において、屋根構造材と屋根表面材との間に隙間を有していると、屋根表面材が変形したり割れたりする恐れがあった。
【０００４】
一方、屋根表面材を通して屋根構造材に荷重受用ネジをねじ込んだ上で、荷重受ネジの頭部に支持金具を載置すると共に、支持金具及び屋根表面材を通して取付ネジを屋根構造材にねじ込むことで、支持金具を屋根表面材上に取付けるようにしたものが提案されている（特許文献２）。この特許文献２の技術によれば、屋根上設置物からの下方への荷重を、支持金具を介して荷重受用ネジで受けることができるため、その荷重が屋根表面材に作用することはなく、屋根表面材が変形したり割れたりすることを回避させることができる。また、屋根上設置物を持ち上げようとする上方への荷重に対しては、取付ネジにより対応することができる。
【０００５】
しかしながら、特許文献２の技術では、屋根構造材にねじ込まれる複数のネジの半分しか、屋根上設置物からの荷重を支持しないため、屋根構造材にネジをねじ込む手間に比べて、屋根上設置物からの下方や上方への耐荷重性が低い問題があった。
【先行技術文献】
【特許文献】
【０００６】
【特許文献１】特開２０１３−１１７１１０号公報
【特許文献２】特開２０１４−７７３１７号公報
【発明の概要】
【発明が解決しようとする課題】
【０００７】
そこで、本発明は、上記の実情に鑑み、屋根表面材への負担を軽減させると共に、耐荷重性を高めることが可能な屋根上設置物の取付構造及び取付装置の提供を課題とするものである。
【課題を解決するための手段】
【０００８】
上記の課題を解決するために、本発明に係る屋根上設置物の取付構造は、「屋根構造材に葺かれた屋根表面材の上方に、取付装置によって取付けられている屋根上設置物の取付構造であって、前記取付装置は、前記屋根表面材の上面に載置されている平板状の第一基部、該第一基部を貫通している複数の取付孔、及び、前記第一基部から上方へ延出している平板状の第一連結部、を有している第一部材と、複数の前記取付孔、及び、前記屋根表面材を通して前記屋根構造材にねじ込まれており、頭部の下面が前記第一基部の上面に夫々当接している複数の取付ネジと、全ての該取付ネジの頭部の上面に当接しており、前記第一連結部に取付けられていると共に、前記屋根上設置物が取付けられている第二部材とを具備する」ことを特徴とする。
【０００９】
ここで、「屋根構造材」としては、「野地板」、「垂木」、を例示することができる。また、「屋根表面材」としては、「瓦」、「スレート」、「板金屋根」、「アスファルトシングル」、を例示することができる。また、「屋根上設置物」としては、「太陽電池モジュール」、「太陽熱温水器」、「緑化パネル」、「空調用室外機」、「屋根上用床材」、を例示することができる。
【００１０】
また、「第一部材」としては、「平行に延出している複数の第一連結部の間に、複数の取付孔を有しているもの」、「一つの第一連結部を境にして両側に複数の取付孔を有しているもの」、「第一連結部を境にして一方側にのみ複数の取付孔を有しているもの」、を例示することができる。
【００１１】
本構成の屋根上設置物の取付構造によれば、第一部材を取付けている全ての取付ネジの頭部の上面に、屋根上設置物が取付けられている第二部材が当接しているため、屋根上設置物からの下方への荷重を、第二部材を介して全ての取付ネジで受けることができる。また、第二部材が第一連結部を介して第一部材に取付けられていると共に、第一部材の第一基部の上面が、取付ネジの頭部の下面に当接しているため、屋根上設置物を持ち上げようとする上方への荷重が作用した場合には、第二部材から第一部材を介して全ての取付ネジで対応することができる。
【００１２】
このように、屋根上設置物から下方や上方へ荷重が作用しても、屋根構造材にねじ込まれている全ての取付ネジによってその荷重を受けさせることができるため、屋根表面材に加わる負担を軽減させることができると共に、従来の技術よりも屋根上設置物に対する耐荷重性を高めることができる。
【００１３】
また、屋根表面材への負担を軽減させることができるため、屋根表面材と屋根構造材との間に隙間を有していたり、屋根表面材と屋根構造材との間に断熱材や防音材等を有していたりしても、屋根上設置物からの荷重により屋根表面材が変形したり割れたりして破損することを回避させることができると共に、屋根表面材の破損による雨漏りや、断熱材や防音材が潰れることによる性能の低下、等の危惧を低減させることができ、屋根上への屋根上設置物の取付けに対する信頼性を向上させることができる。
【００１４】
本発明に係る屋根上設置物の取付構造は、上記の構成に加えて、「前記第一部材の前記第一連結部は、複数の前記取付孔を間にして平行に一対、有しており、前記第二部材は、一対の前記第一連結部の間に挿入されている」ことを特徴としても良い。
【００１５】
本構成の屋根上設置物の取付構造によれば、一対の第一連結部の間に、複数の取付孔を有するようにしていると共に、第二部材を挿入して取付けているため、第一部材に対して第二部材が傾き難くいものすることができる。これにより、第二部材が傾くことで、屋根上設置物からの荷重が一部の取付ネジに大きく作用することを抑制することができ、全ての取付ネジに対して荷重を均等に作用させて、所望の耐荷重性を発揮させることができる。
【００１６】
本発明に係る屋根上設置物の取付装置は、上記の屋根上設置物の取付構造に使用される取付装置であって、「平板状の第一基部、該第一基部を貫通している複数の取付孔、及び、前記第一基部から上方へ延出している平板状の第一連結部、を有している第一部材と、複数の前記取付孔を通して頭部の下面が前記第一基部の上面に夫々当接している複数の取付ネジと、全ての該取付ネジの頭部の上面に当接しており、前記第一連結部に取付けられていると共に、屋根上設置物が取付けられる第二部材とを具備する」ことを特徴とする。
【００１７】
本構成の取付装置は、屋根表面材に第一部材を載置した状態で、複数の取付孔及び屋根表面材を通して複数の取付ネジを屋根構造材にねじ込むことで、第一部材を屋根表面材に取付ける。そして、第二部材を、全ての取付ネジの頭部の上面に当接させた状態で、第一部材の第一連結部に取付けた後に、その第二部材に屋根上設置物を取付ける。これにより、上記の屋根上設置物の取付構造で、屋根上に屋根上設置物を取付けることができ、上記と同様の作用効果を奏することができる。
【発明の効果】
【００１８】
以上のように、本発明の効果として、屋根表面材への負担を軽減させると共に、耐荷重性を高めることが可能な屋根上設置物の取付構造及び取付装置を、提供することができる。
【図面の簡単な説明】
【００１９】
【図１】本発明の一実施形態である屋根上設置物の取付装置の斜視図である。
【図２】図１の取付装置の分解斜視図である。
【図３】図１の取付装置を屋根表面材上に取付けた状態の斜視図である。
【図４】図３において屋根の流れ方向に切断した断面図である。
【図５】図４におけるＡ−Ａ線で切断した断面図である。
【図６】形状の異なる屋根表面材に取付けられることを示す説明図である。
【図７】異なる実施形態の取付装置の分解斜視図である。
【図８】図７の取付装置を屋根表面材上に取付けると共に、屋根を流れ方向に切断して斜視図である。
【図９】図８において屋根の流れ方向に切断した断面図である。
【図１０】更に異なる実施形態の取付装置の断面図である。
【図１１】更に異なる実施形態の取付装置の断面図である。
【発明を実施するための形態】
【００２０】
本発明の一実施形態である屋根上設置物の取付装置１について、図１乃至図６を参照して詳細に説明する。本実施形態の取付装置１は、屋根構造材としての野地板１１に葺かれている波状の屋根表面材１２に、太陽電池モジュール、太陽熱温水器、緑化パネル、空調用室外機、屋根上用床材、等の屋根上設置物の一部を構成している桟部材１３を取付けるためのものである。この取付装置１は、平面視の形状が長方形に形成されており、以下では、長辺の延びている方向を長手方向、短辺の延びている方向を幅方向、長辺および短辺により形成される面に対して垂直な方向を上下方向、と称して説明する。
【００２１】
取付装置１は、平板状の第一基部２ａ、第一基部２ａを貫通している複数の取付孔２ｂ、及び、第一基部２ａから上方へ延出している平板状の第一連結部２ｃ、を有している第一部材２と、複数の取付孔２ｂを通して頭部３ａの下面が第一基部２ａの上面に夫々当接している複数の取付ネジ３と、全ての取付ネジ３の頭部３ａの上面に当接しており、第一連結部２ｃに取付けられていると共に、屋根上設置物が取付けられる第二部材４と、第一部材２と第二部材４とを連結している連結ボルト５及び連結ナット６と、第一基部２ａの下面に貼り付けられている防水シート７と、を備えている。
【００２２】
第一部材２の第一基部２ａは、平面視の形状が長手方向へ長い長方形に形成されている。第一基部２ａの上面は、二つの長辺の間（幅方向）の中央部分が平坦で最も高く、二つの長辺と中央部分との間が長辺よりも低く窪んでいる。第一基部２ａの下面は、上面に類似したような形状に形成されており、上面における最も低くなっている二つの部位の間が、幅方向の中央が最も高く長辺側へ低くなるように湾曲している。
【００２３】
複数（ここでは四つ）の取付孔２ｂは、取付ネジ３のネジ部３ｂが通過し、頭部３ａが通過しない大きさに形成されている。複数の取付孔２ｂは、第一基部２ａの幅方向の中央で、長手方向へ一列に形成されている。第一連結部２ｃは、第一基部２ａの長手方向に延びている二つの長辺から上方へ夫々延出している。つまり、第一連結部２ｃは、互いに平行に一対、設けられている。
【００２４】
第一部材２は、第一連結部２ｃにおける第一基部２ａの長手方向の中央で、上下に長く貫通している長孔状の第一連結孔２ｄを有している。この第一連結孔２ｄには、連結ボルト５の雄ネジ部５ａが挿通される。また、第一部材２は、第一基部２ａの上面における幅方向の中央に中心識別部２ｅを有している。中心識別部２ｅは、長手方向へ延びた線である。中心識別部２ｅは、第一基部２ａの長手方向の両端から当該両端に最も近い取付孔２ｂまでの途中まで延びている。
【００２５】
第一部材２は、第一基部２ａと第一連結部２ｃとが、長手方向へ断面形状が一定に延びている。
【００２６】
第二部材４は、第一部材２における一対の第一連結部２ｃの間に挿入されている。第二部材４は、平面視の形状が幅方向に長い長方形で、同一面上において長手方向へ互いに離隔している一対の平板状の第二基部４ａと、一対の第二基部４ａの互いに接近している長辺同士を繋いでいる第二連結部４ｂと、第二連結部４ｂを幅方向へ貫通している第二連結孔４ｃと、第二連結部４ｂから上方に突出している載置部４ｄと、載置部４ｄの上面において上方に開口しているボルト保持溝４ｅと、を備えている。
【００２７】
載置部４ｄの上面は、長手方向の一方側が低くなるように傾斜している。つまり、載置部４ｄの上面は、第二基部４ａの下面に対して傾斜している。載置部４ｄの上面は、取付装置１を屋根表面材１２に取付けた時に、屋根構造材としての野地板１１の面と平行になるように形成されている（図４を参照）。ボルト保持溝４ｅは、載置部４ｄの長手方向の中央付近で開口しており、長手向の断面が逆Ｔ字状に形成されている。このボルト保持溝４ｅ内に、桟部材１３を取付けるための後述する根角ボルト１４の頭部１４ａを挿入させると、が挿入されることで、根角ボルト１４を雄ネジ部１４ｂの軸周りに対して回転不能に保持することができると共に、幅方向へスライド可能に保持することができる（図４を参照）。このボルト保持溝４ｅにより、載置部４ｄの上面が長手方向へ二つに分断されている。
【００２８】
また、第二部材４は、一対の第二基部４ａにおける第二連結部４ｂにより繋がれている長辺とは反対側の長辺から下方へ夫々延出している一対の平板状の水切部４ｆと、一対の水切部４ｆの夫々と連続して載置部４ｄよりも低く上方へ延出している一対の平板状の立壁部４ｇと、立壁部４ｇの上端辺と載置部４ｄの長手方向の端辺とを繋いでいる平板状の天壁部４ｈと、第二基部４ａにおける長手方向の中央付近と載置部４ｄの長手方向の端辺とを繋いでいる平板状の補強壁部４ｉと、を備えている。
【００２９】
更に、第二部材４は、載置部４ｄにおける長手方向に分断されている二つの上面の一方側に形成されており、断面がＶ字状のＶ溝４ｊと、載置部４ｄのＶ溝４ｊの形成されていない残りの上面に形成されており、屋根表面材１２に取付ける時の棟の方向を示す方向識別部４ｋと、を備えている。本実施形態では、載置部４ｄの二つの上面の内、低い側にＶ溝４ｊが、高い側に方向識別部４ｋが、夫々形成されている。本実施形態の方向識別部４ｋは、図１及び図２等に示すように、棟の方向を示す矢印と「ムネ」の文字から構成されている。
【００３０】
第二部材４は、方向識別部４ｋを除いた全体が、幅方向へ断面形状が一定に延びている。第二部材４は、幅方向の長さが、第一部材２における一対の第一連結部２ｃの間の距離よりも若干短い。
【００３１】
第二部材４の一対の第二基部４ａは、取付装置１に組立てた状態で、下面に取付ネジ３の頭部３ａの上面が当接している。また、一対の第二基部４ａは、第二連結部４ｂにより繋がれている長手方向の端辺とは反対側の端辺が、第一部材２の長手方向の端部よりも僅かに外方へ突出している。第二連結孔４ｃは、第一部材２の第一連結孔２ｄと同軸上に位置している。載置部４ｄの上面とボルト保持溝４ｅは、第一部材２の第一連結部２ｃよりも上方に位置している。
【００３２】
また、一対の水切部４ｆは、下端辺が、第一部材２の第一基部２ａの最も高い部位と最も低い部との間の高さに位置している。一対の立壁部４ｇは、上端辺が、第一部材２の第一連結部２ｃの上端よりも若干高い高さに位置している。
【００３３】
防水シート７は、第一部材２の第一基部２ａの下面において、幅方向の中央部分の湾曲している部位に貼り付けられている。
【００３４】
この取付装置１は、第一部材２及び第二部材４が、アルミニウム合金等の金属の押出型材により形成されている。第一部材２の複数の取付孔２ｂと一対の第一連結孔２ｄは、打抜き加工により形成されている。また、第一部材２の中心識別部２ｅと第二部材４の方向識別部４ｋは、刻印により形成されている。防水シート７は、ブチルゴムシートである。
【００３５】
次に、本実施形態の取付装置１を使用して、屋根構造材としての野地板１１の上面に、金属板からなる波状の屋根表面材１２が葺かれた屋根上への屋根上設置物の一部を構成している桟部材１３の取付けについて、図３乃至図５等を参照して説明する。初めに、屋根表面材１２は、屋根の傾斜方向に対して直角方向（屋根の横方向）へ波打っており、上面が野地板１１の上面に対して傾斜している。従って、野地板１１と屋根表面材１２との間には、殆どの部位において隙間が形成されている。
【００３６】
まず、取付装置１を分解した状態で、第一部材２を、長手方向を屋根の傾斜方向へ向けて、屋根表面材１２の波状の最も高くなっている部位に載置する。この際に、屋根表面材１２に、屋根の傾斜方向へ延びた取付線を罫書き、その取付線に対して第一部材２の中心識別部２ｅを一致させる。
【００３７】
続いて、取付ネジ３のネジ部３ｂを、上方から第一部材２の複数の取付孔２ｂを通して、防水シート７及び屋根表面材１２を貫通させた上で、野地板１１にねじ込み、頭部３ａの下面を第一基部２ａの上面に当接させる。この際に、全ての取付ネジ３の頭部３ａの上面が、第一基部２ａの上面と平行な同一面上となるように、ねじ込み量を調整する。これにより、第一部材２が、屋根表面材１２に取付けられた状態となる。
【００３８】
この状態で、第二部材４を、方向識別部４ｋが示す方向を屋根の棟へ向けた状態で、第一部材２の一対の第一連結部２ｃの間に挿入し、一対の第二基部４ａの下面を、全ての取付ネジ３の頭部３ａの上面に当接させる。この状態では、載置部４ｄの上面が野地板１１の面と平行になる（図４を参照）。その後、第一部材２の一対の第一連結孔２ｄに対して、第二連結孔４ｃを一致させる。
【００３９】
その後、連結ボルト５の雄ネジ部５ａを、一方の第一連結部２ｃの外側から、第一連結孔２ｄ及び第二連結孔４ｃを貫通させて、反対側の第一連結部２ｃよりも外側へ突出させた上で、連結ナット６を螺合させて締付ける。この際に、雄ネジ部５ａを、平座金８やバネ座金９に挿通させる。これにより、取付装置１が組立てられた状態となると共に、取付装置１が屋根表面材１２に取付けられた状態となる。
【００４０】
そして、屋根表面材１２上に取付ける屋根上設置物の大きさに合わせて、複数の取付装置１を、屋根の傾斜方向と屋根の横方向とに間隔をあけて取付ける。複数の取付装置１を取付けたら、各取付装置１において、第二部材４のボルト保持溝４ｅに、頭部１４ａを下にした根角ボルト１４の頭部１４ａを挿入し、雄ネジ部１４ｂを載置部４ｄの上面から上方へ突出させた状態にする。
【００４１】
この状態で、複数の取付装置１に、屋根の傾斜方向に並んでいる複数の取付装置１を跨ぐ長さの桟部材１３を取付ける。複数の取付装置１の載置部４ｄから突出している根角ボルト１４の雄ネジ部１４ｂを、桟部材１３の底壁を貫通させた状態で、複数の取付装置１の載置部４ｄに桟部材１３を載置する。そして、根角ボルト１４の雄ネジ部１４ｂにナット１５を螺合させて締付けた後に、上方から桟部材１３の底壁を通してビス１６を載置部４ｄにねじ込む。この際に、Ｖ溝４ｊの位置にビス１６をねじ込むことで、Ｖ溝４ｊがビス１６の先端を案内して、ビス１６が載置部４ｄの上面を滑ることなく載置部４ｄにねじ込まれる。
【００４２】
このようにして、屋根表面材１２上に屋根上設置物を取付けることができると共に、屋根上設置物の取付構造を構築することができる。
【００４３】
このように、本実施形態の取付装置１によれば、第一部材２を取付けている全ての取付ネジ３の頭部３ａの上面に、桟部材１３が取付けられている第二部材４が当接しているため、桟部材１３からの下方への荷重を、第二部材４を介して全ての取付ネジ３で受けることができる。また、第二部材４が一対の第一連結部２ｃを介して第一部材２に取付けられていると共に、第一部材２の第一基部２ａの上面が、取付ネジ３の頭部３ａの下面に当接しているため、桟部材１３を持ち上げようとする上方への荷重が作用した場合には、第二部材４から第一部材２を介して全ての取付ネジ３で対応することができる。
【００４４】
このように、本実施形態の取付装置１は、桟部材１３から下方や上方へ荷重が作用しても、野地板１１にねじ込まれている全ての取付ネジ３によってその荷重を受けさせることができるため、屋根表面材１２に加わる負担を軽減させることができると共に、従来の技術よりも屋根上設置物に対する耐荷重性を高めることができる。
【００４５】
また、本実施形態の取付装置１は、屋根表面材１２への負担を軽減させることができるため、屋根表面材１２と野地板１１との間に隙間を有しても、桟部材１３からの荷重により屋根表面材１２が変形したり割れたりして破損することを回避させることができると共に、屋根表面材１２の破損による雨漏りの危惧を低減させることができ、屋根上への屋根上設置物の取付けに対する信頼性を向上させることができる。
【００４６】
また、本実施形態の取付装置１によれば、一対の第一連結部２ｃの間に、複数の取付孔２ｂを有するようにしていると共に、第二部材４を挿入して取付けているため、第一部材２に対して第二部材４が傾き難くいものとすることができる。これにより、第二部材４が傾くことで、桟部材１３からの荷重が一部の取付ネジ３に大きく作用することを抑制することができ、全ての取付ネジ３に対して荷重を均等に作用させて、所望の耐荷重性を発揮させることができる。
【００４７】
更に、本実施形態の取付装置１によれば、第一部材２の第一基部２ａの下面を、上方へ湾曲させていると共に、その部位に防水シート７を貼り付けているため、取付ネジ３の締付けにより防水シート７が弾性変形することから、取付装置１が取付けられる波状の屋根表面材１２に対して、波の曲率が大きいもの（図６において一点鎖線で示す）から小さいもの（図６において二点鎖線で示す）まで、様々な曲率の屋根表面材１２に対応することができ、取付装置１の汎用性が高められている。
【００４８】
また、本実施形態の取付装置１によれば、第一部材２の第一基部２ａにおいて、取付孔２ｂが形成されている幅方向の中央部分が最も高くなるようにしているため、一対の第一連結部２ｃの間に雨水等が浸入しても、取付孔２ｂの部位に到達し難く、取付孔２ｂに挿通された取付ネジ３を伝って屋根表面材１２の裏側に雨水等が漏れることを防止することができる。
【００４９】
また、本実施形態の取付装置１によれば、第二部材４の載置部４ｄ、水切部４ｆ、立壁部４ｇ、及び天壁部４ｈにより、第一部材２の第一基部２ａの上方を覆っていると共に、水切部４ｆを、第一部材２の第一基部２ａの最も高い部位と最も低い部との間の高さまで下方へ延出させているため、取付孔２ｂが形成されている第一基部２ａの幅方向の中央部分への雨水等の浸入を防止することができると共に、第一基部２ａ上に浸入した雨水等を、第一基部２ａの最も低い部と水切部４ｆとの間から軒側へ排出させることができる。
【００５０】
更に、本実施形態の取付装置１によれば、第一部材２の第一連結孔２ｄを、上下に長い長孔としているため、第一部材２に対する第二部材４の取付け高さを調整することができ、頭部３ａの高さの異なる様々な種類の取付ネジ３に対応することができる。
【００５１】
以上、本発明について好適な実施形態を挙げて説明したが、本発明は上記の実施形態に限定されるものではなく、本発明の要旨を逸脱しない範囲において、種々の改良及び設計の変更が可能である。なお、以下では、構成が同じ部位については同一の符号を付し、詳細な説明は省略する。
【００５２】
例えば、上記の実施形態では、取付装置１が取付けられる屋根表面材１２として、金属板からなる波状のものを示したが、これに限定するものではなく、Ｊ形瓦（和瓦）、本葺瓦、Ｓ形瓦、波形瓦、洋瓦、等に取付装置１を取付けることができる。
【００５３】
また、上記の実施形態では、取付装置１の載置部４ｄに、屋根上設置物としての桟部材１３を載置して取付けたものを示したが、これに限定するものではなく、屋根上設置物としての太陽電池モジュールを載置して取付けるようにしても良い。
【００５４】
更に、上記の実施形態では、波状の屋根表面材１２に取付けるために第一部材２の第一基部２ａの下面が湾曲している取付装置１を示したが、これに限定するものではなく、図７乃至図９に示すような、平らな屋根表面材１７に取付けられる取付装置２０としても良い。以下では、屋根表面材１７に取付けた時に屋根の傾斜方向を長手方向、屋根の横方向を幅方向、と称して説明する。
【００５５】
取付装置２０は、屋根表面材１７の上面に載置されている第一部材２１と、第一部材２１及び屋根表面材１７を通して屋根構造材としての野地板１１にねじ込まれ頭部２２ａの下面が第一部材２１に当接している取付ネジ２２と、取付ネジ２２の頭部２２ａの上面に当接しており第一部材２１に取付けられていると共に屋根上設置物が取付けられている第二部材２３と、第一部材２１と第二部材２３とを取付けている連結ボルト２４及び連結ナット２５と、第一部材２１の下面に貼り付けられている防水シート２６と、を備えている。
【００５６】
第一部材２１は、屋根表面材１７の上面に載置されている平板状の第一基部２１ａと、第一基部２１ａを貫通している複数の取付孔２１ｂと、長手方向へ離隔しており複数の取付孔２１ｂを間にして第一基部２１ａから上方へ平行に延出している一対の平板状の第一連結部２１ｃと、一対の第一連結部２１ｃを夫々貫通しており幅方向に長い長孔状の第一連結孔２１ｄと、を有している。第一部材２１は、第一基部２１ａと一対の第一連結部２１ｃとが、一定の断面形状で幅方向へ延びている。
【００５７】
第一基部２１ａの下面は、一つの平面により形成されている。第一基部２１ａの上面は、長手方向の一方側が低くなるように傾斜しており、長手方向へ並んでいる複数の平面により形成されている。第一基部２１ａにおける一対の第一連結部２１ｃの間の上面は、長手方向の中央部分と、長手方向の高くなっている側の端部付近とが、窪んでいる。第一基部２１ａの上面は、屋根表面材１７に取付けた時に野地板１１の面と平行になるように形成されている（図９を参照）。
【００５８】
複数の取付孔２１ｂは、第一基部２１ａにおける一対の第一連結部２１ｃの間において、長手方向と幅方向とに並んで四つ形成されている。一対の第一連結部２１ｃは、第一基部２１ａの傾斜している上面に対して垂直で、第一基部２１ａの複数の取付孔２１ｂが形成されている上面から同じ高さまで上方に延びている。一対の第一連結孔２１ｄは、第一基部２１ａの傾斜している上面と平行な線に同軸上に形成されている。
【００５９】
第二部材２３は、第二部材２３は、第一部材２１における一対の第一連結部２１ｃの間に挿入されている。第二部材２３は、平面視の形状が幅方向に長い長方形で、第一部材２１の第一基部２１ａの上面と平行な平板状の第二基部２３ａと、第二基部２３ａの幅方向中央から上方へ突出している第二連結部２３ｂと、第二連結部２３ｂを長手方向で第二基部２３ａと平行に貫通している第二連結孔２３ｃと、第二連結部２３ｂから上方に突出していると共に第二基部２３ａと平行な平板状の載置部２３ｄと、第二基部２３ａ及び載置部２３ｄの長手方向へ延びている二辺を夫々繋いでいると共に載置部２３ｄよりも上方へ延出している一対の平板状の保持壁部２３ｅと、を備えている。
【００６０】
第二部材２３は、第二基部２３ａの長手方向へ延びている二辺から一対の保持壁部２３ｅと連続するように下方へ延出している一対の平板状の水切部２３ｆと、一対の保持壁部２３ｅにおける載置部２３ｄよりも上方で貫通しており上下に長い長孔状の一対の保持孔２３ｇと、保持壁部２３ｅの上部における保持孔２３ｇを間にした両側で夫々貫通しているビス孔２３ｈと、を備えている。
【００６１】
第二部材２３は、第二基部２３ａ、第二連結部２３ｂ、第二連結孔２３ｃ、載置部２３ｄ、保持壁部２３ｅ、及び水切部２３ｆが、一定の断面形状で長手方向へ延びている。第二部材２３は、長手方向の長さが、第一部材２１の一対の第一連結部２１ｃの間の距離よりも若干短い。第二基部２３ａ及び載置部２３ｄは、幅方向の長さが、第一部材２１の幅方向の長さよりも若干長い。
【００６２】
この第二部材２３は、取付装置２０に組立てた時に、第二基部２３ａの下面に取付ネジ２２の頭部２２ａの上面が当接している。また、載置部２３ｄは、第一部材２１の一対の第一連結部２１ｃよりも上方に位置している。また、一対の水切部２３ｆは、下端辺が、第一部材２１の第一基部２１ａにおける一対の第一連結部２１ｃの間の上面と、当該上面から窪んでいる部位の底面との間の高さに位置している。
【００６３】
この取付装置２０は、第一部材２１及び第二部材２３が、アルミニウム合金等の金属の押出型材により形成されている。第一部材２１の取付孔２１ｂと第一連結孔２１ｄ、第二部材２３の保持孔２３ｇとビス孔２３ｈは、打抜き加工により形成されている。なお、第一部材２１の第一基部２１ａの上面に、取付装置１と同様の中心識別部及び方向識別部を設けても良い。
【００６４】
次に、取付装置２０を使用した屋根上設置物の取付けについて説明する。この取付装置２０が取付けられる屋根表面材１７は、金属板を屈曲させて形成した板金屋根であり、裏面に断熱材１８が取付けられている。まず、取付装置２０を分解した状態で、第一部材２１を、第一基部２１ａの板厚が厚くなっている方を屋根の棟側に向けて、屋根表面材１７上に載置する。そして、上方から取付ネジ２２のネジ部２２ｂを、取付孔２１ｂ、防水シート２６、屋根表面材１７及び断熱材１８を通して屋根構造材としての野地板１１にねじ込み、頭部２２ａの下面を第一基部２１ａの上面に当接させる。
【００６５】
この状態で、一対の保持壁部２３ｅの離隔している方向を屋根の横方向へ向けた第二部材２３を、上方から第一部材２１の一対の第一連結部２１ｃの間に挿入し、第二基部２３ａの下面を、全ての取付ネジ２２の頭部の２２ａの上面に当接させる。そして、一対の第一連結孔２１ｄと第二連結孔２３ｃとを一致させた状態で、連結ボルト２４の雄ネジ部２４ａを、棟側から第一連結孔２１ｄ及び第二連結孔２３ｃを貫通させて、軒側へ突出させた後に、連結ナット２５を螺合して締付ける。この際に、雄ネジ部２４ａを、平座金２７やバネ座金２８に挿通させる。これにより、取付装置２０が組立てられた状態となると共に、取付装置２０が屋根表面材１７に取付けられた状態となる。
【００６６】
その後、一対の保持壁部２３ｅの間に屋根上設置物の一部を構成している桟部材１３を挿入し、保持孔２３ｇを通した図示しないボルト及びナットにより桟部材１３を取付ける。そして、少なくとも一つのビス孔２３ｈを通して桟部材１３に図示しないビスをねじ込むことにより、取付装置２０に対する桟部材１３のズレを防止する。このようにすることで、屋根表面材１７上に屋根上設置物を取付けることができると共に、屋根上設置物の取付構造を構築することができる。
【００６７】
この取付装置２０によれば、第一部材２１を取付けている全ての取付ネジ２２の頭部２２ａの上面に、桟部材１３が取付けられている第二部材２３が当接しているため、桟部材１３からの下方への荷重を、第二部材２３を介して全ての取付ネジ２２で受けることができる。また、第二部材２３が一対の第一連結部２１ｃを介して第一部材２１に取付けられていると共に、第一部材２１の第一基部２１ａの上面が、取付ネジ３の頭部２２ａの下面に当接しているため、桟部材１３を持ち上げようとする上方への荷重が作用した場合には、第二部材２３から第一部材２１を介して全ての取付ネジ２２で対応することができる。従って、この取付装置２０においても、上記と同様の作用効果を奏することができる。
【００６８】
上記の図７乃至図９に示す実施形態では、取付装置２０が取付けられる屋根表面材１７として板金屋根材を示したが、これに限定するものではなく、平瓦、スレート、アスファルトシングル、等としても良い。
【００６９】
更に、上記の実施形態では、取付装置１の第二部材４及び取付装置２０の第二部材２３において、第二基部４ａ及び第二基部２３ａの長手方向の端辺から下方へ夫々延出している水切部４ｆ及び水切部２３ｆを有したものを示したが、これに限定するものではなく、水切部を有していない構成の第二部材としても良い。
【００７０】
また、上記の実施形態では、第一部材２に一対の第一連結部２ｃを備えた取付装置１を示したが、これに限定するものではなく、図１０及び図１１に示すように、取付装置３０及び取付装置４０としても良い。
【００７１】
図１０に示す取付装置３０は、平板状の第一基部３１ａと、第一基部３１ａを貫通している複数の取付孔３１ｂと、第一基部３１ａの一辺から上方へ延出している平板状の第一連結部３１ｃと、第一連結部３１ｃを貫通している第一連結孔３１ｄと、を有している第一部材３１と、複数の取付孔３１ｂに夫々挿通されており頭部３２ａの下面が第一基部３１ａの上面に当接している取付ネジ３２と、全ての取付ネジ３２の頭部３２ａの上面に下面が当接している平板状の第二基部３３ａ、第二基部３３ａの一辺から第一連結部３１ｃに沿って第一連結部３１ｃよりも上方に延出している平板状の第二連結部３３ｂ、第二連結部３３ｂを貫通している第二連結孔３３ｃ、第二連結部３３ｂの上端から第二基部３３ａの上方へ延出しており屋根上設置物が載置される平板状の載置部３３ｄ、を有している第二部材３３と、を備えている。
【００７２】
また、取付装置３０は、第一部材３１の第一連結孔３１ｄと第二部材３３の第二連結孔３３ｃとを通して第一部材３１と第二部材３３とを取付けている連結ボルト３４及び連結ナット３５と、第一部材３１の第一基部３１ａの下面に貼り付けられている防水シート３６と、を備えている。
【００７３】
この取付装置３０は、図１０に示すように、第一部材３１が、紙面に対して垂直な方向へＬ字状の断面形状で一定に延びている。複数の取付孔３１ｂは、紙面に対して垂直な方向に並んでいる。取付装置３０の第一部材３１の第一基部３１ａは、上面が第一連結部３１ｃに対して垂直であり、下面が第一連結部３１ｃから遠ざかるに従って板厚が薄くなるように傾斜している。この取付装置３０は、第一基部３１ａにおける第一連結部３１ｃが延び出している一辺側を、屋根の棟側へ向けて取付けることにより、載置部３３ｄの上面が野地板１１と平行になる。この取付装置３０によっても上記と同様の作用効果を奏することができる。
【００７４】
この取付装置３０において、第二部材３３の第二基部３３ａと載置部３３ｄにおける第二連結部３３ｂとは反対側の辺同士を連結して、長方形の断面形状としても良い。
【００７５】
図１１に示す取付装置４０は、平板状の第一基部４１ａ、第一基部４１ａから上方へ延出している第一連結部４１ｂ、第一基部４１ａにおける第一連結部４１ｂを間にした両側で夫々貫通している複数の取付孔４１ｃ、第一連結部４１ｂを貫通している第一連結孔４１ｄ、を有している第一部材４１と、複数の取付孔４１ｃに夫々挿通されており頭部４２ａの下面が第一基部４１ａの上面に当接している取付ネジ４２と、第一連結部４１ｂを間にした両側において取付ネジ４２の頭部４２ａの上面に当接している一対の平板状の第二基部４３ａ、一対の第二基部４３ａにおける第一連結部４１ｂに接近している端辺から第一連結部４１ｂに沿って第一連結部４１ｂよりも上方へ夫々延出している一対の平板状の第二連結部４３ｂ、一対の第二連結部４３ｂを同軸上に夫々貫通している一対の第二連結孔４３ｃ、一対の第二連結部４３ｂの上端同士を連結していると共に一対の第二基部４３ａの夫々の上方へ延出している平板状の載置部４３ｄ、を有している第二部材４３と、を備えている。
【００７６】
また、取付装置４０は、第一部材４１の第一連結孔４１ｄ及び第二部材４３の一対の第二連結孔４３ｃを通して第一部材４１と第二部材４３とを取付けている連結ボルト４４及び連結ナット４５と、第一部材４１の第一基部４１ａの下面に貼り付けられている防水シート４６と、を備えている。
【００７７】
この取付装置４０は、図１１に示すように、第一部材４１が、紙面に対して垂直な方向へ逆Ｔ字状の断面形状で一定に延びている。複数の取付孔４１ｃは、紙面に対して垂直な方向に並んでいる。また、第二部材４３の載置部４３ｄは、一対の第二連結部４３ｂが離隔している方向に対して一方側が低くなるように傾斜している。この取付装置４０は、第二部材４３における載置部４３ｄの高くなっている側を、屋根の棟側へ向けて取付けることにより、載置部４３ｄの上面が野地板１１と平行になる。この取付装置４０によっても上記と同様の作用効果を奏することができる。
【符号の説明】
【００７８】
１，２０，３０，４０  取付装置
２，２１，３１，４１  第一部材
２ａ，２１ａ，３１ａ，４１ａ  第一基部
２ｂ，２１ｂ，３１ｂ，４１ｃ  取付孔
２ｃ，２１ｃ，３１ｃ，４１ｂ  第一連結部
３，２２，３２，４２  取付ネジ
３ａ，２２ａ，３２ａ，４２ａ  頭部
４，２３，３３，４３  第二部材
５，２４，３４，４４  連結ボルト
６，２５，３５，４５  連結ナット
７，２６，３６，４６  防水シート
１１  野地板（屋根構造材）
１２，１７  屋根表面材
１３  桟部材（屋根上設置物）
【図１】
2018155054.tif 000003
【図２】
2018155054.tif 000004
【図３】
2018155054.tif 000005
【図４】
2018155054.tif 000006
【図５】
2018155054.tif 000007
【図６】
2018155054.tif 000008
【図７】
2018155054.tif 000009
【図８】
2018155054.tif 000010
【図９】
2018155054.tif 000011
【図１０】
2018155054.tif 000012
【図１１】
2018155054.tif 000013